(57)【要約】　　　（修正有）【課題】印刷物の種類、サイズ、品質などの設定値を容易に入力できる印刷物検査装置を提供する。【解決手段】複数のジャンルの印刷物を検査可能な印刷物検査装置において、複数の表示部分３４、３５、３６、３７を表示するための表示装置を設け、各表示部分３４、３５、３６、３７は複数のジャンルの印刷物から選択された所定のジャンルの印刷物と関連付けられていて、各表示部分３４、３５、３６、３７においてジャンルごとに印刷物の検査条件を設定する構成にしたことを特徴とする印刷物検査装置。【選択図】　図２
2004034580.tif 000002
【特許請求の範囲】
【請求項１】
複数のジャンルの印刷物を検査可能な印刷物検査装置において、複数の表示部分（３４、３５、３６、３７）を表示するための表示装置（３０）を設け、各表示部分（３４、３５、３６、３７）は複数のジャンルの印刷物から選択された所定のジャンルの印刷物と関連付けられていて、各表示部分（３４、３５、３６、３７）においてジャンルごとに印刷物の検査条件を設定する構成にしたことを特徴とする印刷物検査装置。
【請求項２】
各表示部分（３４、３５、３６、３７）に印刷物の品質を設定するための品質設定部分（４０）を設けたことを特徴とする請求項１に記載の印刷物検査装置。
【請求項３】
各表示部分（３４、３５、３６、３７）に印刷物の紙幅を設定するための紙幅設定部分（４２）を設けたことを特徴とする請求項１又は２に記載の印刷物検査装置。
【請求項４】
印刷物のジャンルが、パンフレット、ちらし、雑誌、教科書、カタログ、ポスター、カレンダー、漫画、書籍、文庫本、写真紙、梱包紙、ハガキおよび封筒からなるグループから選ばれた少なくとも２つであることを特徴とする請求項１〜３のいずれか１項に記載の印刷物検査装置。
【発明の詳細な説明】
【０００１】
【発明の属する技術分野】
この発明は、種々のジャンルの印刷物を検査するための印刷物検査装置に関する。
【０００２】
【従来の技術】
印刷機は、通常、種々のジャンルの刷物を印刷可能に構成されている。
【０００３】
刷物は、そのジャンルごとに、サイズや許容される品質が異なる。
【０００４】
従来、刷物のサイズや許容される品質等の設定値は、検査の際に、その都度オペレータにより入力されていた。
【０００５】
【発明が解決しようとする課題】
しかしながら、各ジャンルについて固有の設定値を準備し、これを検査ごとに入力するのは煩雑であった。
【０００６】
本発明は、印刷物の種類、サイズ、品質等の設定値を容易に入力できる印刷物検査装置を提供することを目的としている。
【０００７】
【課題を解決するための手段】
本発明の課題を解決するための手段を例示すると、以下のとおりである。
【０００８】
（１）　複数のジャンルの印刷物を検査可能な印刷物検査装置において、複数の表示部分（３４、３５、３６、３７）を表示するための表示装置（３０）を設け、各表示部分（３４、３５、３６、３７）は複数のジャンルの印刷物から選択された所定のジャンルの印刷物と関連付けられていて、各表示部分（３４、３５、３６、３７）においてジャンルごとに印刷物の検査条件を設定する構成にしたことを特徴とする印刷物検査装置。
【０００９】
（２）　各表示部分（３４、３５、３６、３７）に印刷物の品質を設定するための品質設定部分（４０）を設けたことを特徴とする前述の印刷物検査装置。
【００１０】
（３）　各表示部分（３４、３５、３６、３７）に印刷物の紙幅を設定するための紙幅設定部分（４２）を設けたことを特徴とする前述の印刷物検査装置。
【００１１】
（４）　印刷物のジャンルが、パンフレット、ちらし、雑誌、教科書、カタログ、ポスター、カレンダー、漫画、書籍、文庫本、写真紙、梱包紙、ハガキ及び封筒からなるグループから選ばれた少なくとも２つであることを特徴とする前述の印刷物検査装置。
【００１２】
【発明の実施の形態】
本発明の好適な実施形態においては、表示装置が複数の表示部分を有し、各々が、多数のジャンルから選ばれた幾つかののジャンルと関連付けられている。画面上での選択を容易にするため、４種類程度のジャンルを表示部分と関連付けるのが好ましいが、２、３種類や５種類以上のジャンルを表示部分と関連付けても良い。
【００１３】
なお、本発明において印刷物（刷物）のジャンルとは、刷物の形態における種類、分類、区別等をいい、例えばパンフレット、ちらし、雑誌、教科書、カタログ、ポスター、カレンダー、漫画、書籍、文庫本、写真紙、梱包紙、ハガキ、封筒等をいう。
【００１４】
好ましくは、１つの表示部分において１つのジャンルの印刷物の検査条件を設定可能である。表示部分の典型例はディスプレイの画面に表示されるパネルであるが、ウインドウやその他これと同等の機能を有するものであっても良い。
【００１５】
好ましくは、印刷物の検査条件としてサイズや品質等の条件を設定可能にするが、他の条件を設定可能にしても良い。
【００１６】
好ましくは、各表示部分には、印刷物の品質の許容値を設定するための品質設定部分や、紙幅を設定するための紙幅設定部分を設けるが、その他種々の設定値のための設定部分を設けても良い。
【００１７】
本発明によれば、各種ジャンルの設定を簡単に入力できる。
【００１８】
【実施例】
以下、図面を参照して本発明の実施例を説明する。
【００１９】
図１は、本発明による印刷物検査装置の一例を示す概念図である。
【００２０】
印刷物検査装置２０は、主にオフセット輪転印刷機２１と検査システム２４を有している。
【００２１】
オフセット輪転印刷機２１には、本発明の印刷物（刷物）の典型例としてのロール紙２２が設定されている。ロール紙２２は、版胴を有する印刷部から巻取り部（図示省略）へ矢印Ｘ方向に搬送されている。ロール紙２２には、絵柄２３がＸ方向に連続的に印刷されている。ロール紙２２のジャンル（形態における種類、分類、区別等）は、例えば、パンフレット、ちらし、雑誌、教科書、カタログ、ポスター、カレンダー、漫画（古紙混入紙）、書籍、文庫本、写真紙、梱包紙、及びハガキ・封筒である。
【００２２】
検査システム２４は、本体２５、センサー部２８及び表示装置３０を有している。
【００２３】
ロール紙２２の表面側には、センサー部２８が設定されている。センサー部２８は、本体２５に接続されており、ロール紙２２を検査するために用いられる。
【００２４】
本体２５は、装置全体を操作して検査内容を処理する機能を有している。
【００２５】
本体２５には、表示装置３０が接続されている。表示装置３０には、設定画面やエラー警告等が表示可能である。
【００２６】
図２には、表示装置に表示される画面の内容の一例が示されている。なお、画面はタッチパネルで構成されている。
【００２７】
画面３２の中央付近には、印刷物の検査条件を設定するための４つのパネル、すなわちパネル３４、３５、３６、及び３７が位置している。４つのパネル３４〜３７は、本発明の表示部分の典型例である。４つのパネル３４〜３７の上辺には、それぞれインデックス３４ａ、３５ａ、３６ａ、及び３７ａが設けられている。インデックス３４ａ〜３７ａには、それぞれ印刷物のジャンル名であるちらし、雑誌、教科書、及びカタログが表示されている。すなわち、４つのパネル３４〜３７が４つのジャンルの印刷物と関連付けられている。インデックス３４ａ〜３７ａを押す（触れる）ことにより、パネル３４〜３７をそれぞれ選択可能である。
【００２８】
図２においては、ちらしのパネル３４が選択された状態が示されている。なお、雑誌のパネル３５、教科書のパネル３６、及びカタログのパネル３７は、チラシのパネル３４と構成が同様であるので、その説明を省略する。
【００２９】
パネル３４内の左側には、品質設定部分４０が設けられている。
【００３０】
品質設定部分４０は、印刷物について要求される品質の許容範囲を設定する部分である。品質設定部分４０は、選択ボタンＡ〜Ｄ、数値表示４０ａ、品質マーク４０ｂから構成されている。各選択ボタンＡ〜Ｄを押す（触れる）ことにより、予め定められた品質の許容範囲を選択可能である。図２に示した例においては、選択ボタンＤを押すことにより、検査品質の値±２０が選択され、数値表示４０ａに表示されている。なお、品質マーク４０ｂを設定値入力用のボタンとして構成し、品質マーク４０ｂを押すことによりオペレータがキーボード等（図示省略）から任意の設定値を数値表示４０ａに入力できるようにしても良い。
【００３１】
パネル３４内の右側には、紙幅設定部分４２が設けられている。
【００３２】
紙幅設定部分４２は、印刷物の紙幅を設定する部分である。紙幅設定部分４２は、選択ボタン１〜６、数値表示４２ａ、紙幅マーク４２ｂから構成されている。各選択ボタン１〜６を押すことにより、予め定められた紙幅を選択可能である。図２に示した例においては、選択ボタン１を押すことにより、紙幅１０７１（ｍｍ）が選択され、数値表示４２ａに表示されている。なお、紙幅マーク４２ｂを設定値入力用のボタンとして構成し、紙幅マーク４２ｂを押すことによりオペレータがキーボード等（図示省略）から任意の設定値を数値表示４２ａに入力できるようにしても良い。
【００３３】
画面３２の下側には、検査開始ボタン４４、基準クリアボタン４５、白黒校正値グラフボタン４６、検査記録ボタン４７、及びオプションボタン４８が設けられている。これらのボタン４４〜４８は印刷物の検査に用いられるが、ボタン４４〜４７については、本発明と直接関連しないため、その詳しい説明を省略する。
【００３４】
図３には、図２のオプションボタン４８を押した場合に表示される画面の一例が示されている。
【００３５】
画面３２ａには、オプションメニュー５０が示されている。オプションメニュー５０は、輪転情報ボタン５１、ユーザ設定ボタン５２、ジャンル変更ボタン５３、エンコーダ設定ボタン５４、校正操作ボタン５５、検査開始位置ボタン５６、チャネルＯＮ／ＯＦＦボタン５７、波形表示ボタン５８、及び画面キャプチャボタン５９から構成されている。これらのボタン５１〜５９を用いて種々のオプション設定が可能である。また、戻るボタン６０が設けられていて、これにより、図３に示された画面から図２に示された画面３２に戻ることが可能である。ジャンル変更ボタン５３以外については、本発明と直接関連しないため、その詳しい説明を省略する。
【００３６】
図４には、図３のジャンル変更ボタン５３を押した場合に表示される画面の一例が示されている。
【００３７】
画面３２ｂには、刷物ジャンル設定表示６２が示されている。
【００３８】
画面３２ｂの上側には、各ジャンルについての説明を表示するための４つの説明表示、すなわち説明表示６４、６５、６６、及び６７が設けられている。４つの説明表示６４〜６７の上辺には、インデックス６４ａ、６５ａ、６６ａ、及び６７ａがそれぞれ設けられている。インデックス６４ａ〜６７ａには、それぞれ図２で表示された４つのパネル３４〜３７に対応させて、ジャンル１、ジャンル２、ジャンル３、及びジャンル４と表示されている。インデックス６４ａ〜６７ａを押す（触れる）ことにより、説明表示６４〜６７をそれぞれ選択可能である。図４においては、ジャンル１の説明表示６４が選択された状態が示されている。
【００３９】
画面３２ｂの下側には、４つのジャンル変更部７０、７１、７２、及び７３が設けられている。ジャンル変更部７０〜７３は、４つのジャンル１〜４の内容をそれぞれ変更するためのものである。
【００４０】
ジャンル変更部７０は、左側変更ボタン７０ａ、右側変更ボタン７０ｂ、ナンバー表示７０ｃ、及び刷物名表示７０ｄから構成される。左側変更ボタン７０ａ及び右側変更ボタン７０ｂは、ジャンル１すなわち図２のパネル３４に表示される印刷物を変更するためのものである。ボタン７０ａやボタン７０ｂを押すことにより、ナンバー表示７０ｃに表示されるナンバーと刷物名表示７０ｄに表示される刷物名がともに変更される。例えば、右側変更ボタン７０ｂを１回押すと、ナンバー表示７０ｃに３と表示され、刷物名表示７０ｄに雑誌と表示される（図示省略）。こうしてジャンル１すなわち図２のパネル３４に表示される印刷物を任意に変更できる。
【００４１】
ジャンル変更部７１は、左側変更ボタン７１ａ、右側変更ボタン７１ｂ、ナンバー表示７１ｃ、及び刷物名表示７１ｄから構成される。左側変更ボタン７１ａ及び右側変更ボタン７１ｂは、ジャンル２すなわち図２のパネル３５に表示される印刷物を変更するためのものである。ボタン７１ａやボタン７１ｂを押すことにより、ナンバー表示７１ｃに表示されるナンバーと刷物名表示７１ｄに表示される刷物名がともに変更される。例えば、右側変更ボタン７１ｂを１回押すと、ナンバー表示７１ｃに４と表示され、刷物名表示７１ｄに教科書と表示される（図示省略）。こうしてジャンル２すなわち図２のパネル３５に表示される印刷物を任意に変更できる。
【００４２】
ジャンル変更部７２は、左側変更ボタン７２ａ、右側変更ボタン７２ｂ、ナンバー表示７２ｃ、及び刷物名表示７２ｄから構成される。左側変更ボタン７２ａ及び右側変更ボタン７２ｂは、ジャンル３すなわち図２のパネル３６に表示される印刷物を変更するためのものである。ボタン７２ａやボタン７２ｂを押すことにより、ナンバー表示７２ｃに表示されるナンバーと刷物名表示７２ｄに表示される刷物名がともに変更される。例えば、右側変更ボタン７２ｂを１回押すと、ナンバー表示７２ｃに５と表示され、刷物名表示７２ｄにカタログと表示される（図示省略）。こうしてジャンル３すなわち図２のパネル３６に表示される印刷物を任意に変更できる。
【００４３】
ジャンル変更部７３は、左側変更ボタン７３ａ、右側変更ボタン７３ｂ、ナンバー表示７３ｃ、及び刷物名表示７３ｄから構成される。左側変更ボタン７３ａ及び右側変更ボタン７３ｂは、ジャンル４すなわち図２のパネル３７に表示される印刷物を変更するためのものである。ボタン７３ａやボタン７３ｂを押すことにより、ナンバー表示７３ｃに表示されるナンバーと刷物名表示７３ｄに表示される刷物名がともに変更される。例えば、右側変更ボタン７３ｂを１回押すと、ナンバー表示７３ｃに６と表示され、刷物名表示７３ｄにポスターと表示される（図示省略）。こうしてジャンル４すなわち図２のパネル３７に表示される印刷物を任意に変更できる。
【００４４】
ナンバー表示７３ｃに表示されるナンバーと、各ナンバーに対応した刷物名の一例を表１に示す。
【００４５】
【表１】
2004034580.tif 000003
ナンバー１〜１３に、刷物名であるパンフレット、ちらし、雑誌、教科書、カタログ、ポスター、カレンダー、漫画（古紙混入紙）、書籍、文庫本、写真紙、梱包紙、及びハガキ・封筒がそれぞれ対応している。ナンバー０にテスト印刷が対応しているが、これはシステム内部で使用されるものである。ナンバー１４〜１９は空欄であるが、ここに他の刷物名を追加的に記入して選択するようにしてもよい。
【００４６】
刷物名の選択及び順番は任意である。一例では、ジャンル１からジャンル４に、検査の頻度の高い順に選択して配列する。別の例では、ジャンル１からジャンル４に、サイズ順に選択して配列する。こうしてオペレータにとって望ましい任意の配列でジャンルを構成できる。
【００４７】
【発明の効果】
本発明によれば、各表示部分においてジャンルごとに印刷物の検査条件の設定を可能にしたので、各種ジャンルを容易に設定することができる。
【００４８】
また、表示部分に品質の許容値を設定するための品質設定部分を設ける構成にすれば、印刷物の品質を容易に設定することができる。
【００４９】
また、表示部分に印刷部の紙幅を設定するための紙幅設定部分を設ける構成にすれば、印刷物の紙幅を容易に設定することができる。
【００５０】
なお、本発明は図示された実施例に限定されない。設定内容の選択手段としては、タッチパネルのほか、キーボードやマウス等を用いても良い。表示画面の表示内容の構成も任意である。ジャンルの選択手段も任意であり、選択されたジャンルが設定画面に表示されて、そこで設定可能な構成であれば良い。
【図面の簡単な説明】
【図１】本発明による印刷物検査装置をオフセット輪転印刷機に適用した例を示す概念図。
【図２】画面に表示される内容の一例を示す図。
【図３】画面に表示される内容の別の例を示す図。
【図４】画面に表示される内容の更に別の例を示す図。
【符号の説明】
２０　印刷物検査装置
２１　オフセット輪転印刷機
２２　ロール紙
２３　絵柄
２４　検査システム
２５　本体
２８　センサー部
３０　表示装置
３２、３２ａ、３２ｂ　画面
３４、３５、３６、３７　パネル
３４ａ、３５ａ、３６ａ、３７ａ、６４ａ、６５ａ、６６ａ、６７ａ　インデックス
４０　品質設定部分
４０ａ、４２ａ　数値表示
４０ｂ　品質マーク
４２　紙幅設定部分
４２ｂ　紙幅マーク
【図１】
2004034580.tif 000004
【図２】
2004034580.tif 000005
【図３】
2004034580.tif 000006
【図４】
2004034580.tif 000007